(57)【要約】      （修正有）【課題】既存スペースを有効利用して秘密性を十分確保できるように工夫した電子錠付き整理箱を提供する。【解決手段】本電子錠付き整理箱１は、書類等の被収容物Ｓを収容可能な整理箱１であって、内部の収容空間２０に被収容物Ｓを出入れ可能とする長方形形状の収容口２１を有する箱型の本体２と、上記収容口２１に揺動自在に取付けられて収容口２１を開閉可能とする蓋３と、上記蓋３を施錠するためのテンキー部付き電子錠６とを備え、上記電子錠６のテンキー部６０は、上記蓋３の外側面に取付けられ、上記収容口２１を側方にしてその長辺が上下方向となった本体２の縦置き状態と上記収容口２１を側方にしてその長辺が左右方向となった本体２の横置き状態とに対応してテンキーの数字が正しい姿勢に整列されるように９０度範囲で回動自在に構成されている。【選択図】図３
0003120322.tif 000002
【実用新案登録請求の範囲】
【請求項１】
書類等の被収容物を収容可能な整理箱であって、
内部の収容空間に被収容物を出入れ可能とする長方形形状の収容口を有する箱型の本体と、
上記収容口に揺動自在に取付けられて収容口を開閉可能とする蓋と、
上記蓋を施錠するためのテンキー部付き電子錠とを備え、
上記電子錠のテンキー部は、上記蓋の外側面に取付けられ、上記収容口を側方にしてその長辺が上下方向となった本体の縦置き状態と上記収容口を側方にしてその長辺が左右方向となった本体の横置き状態とに対応してテンキーの数字が正しい姿勢に整列されるように９０度範囲で回動自在に構成されていることを特徴とする電子錠付き整理箱。
【請求項２】
請求項１に記載の電子錠付き整理箱において、
上記テンキー部は、テンキーを付した文字盤と、この文字盤と一体形成されて上記蓋に形成した取付け部に嵌合させる嵌合部とを有し、
且つこのテンキー部の嵌合部が蓋の取付け部に対して９０度範囲で回動自在となるように上記取付け部及び上記嵌合部が円形に形成されている電子錠付き整理箱。
【請求項３】
請求項１又は２に記載の電子錠付き整理箱において、
上記蓋には、上記収容口に設けた凹部内に挿入されるように付勢されて上記収容口に対する蓋の閉状態を保持させる係合ピンと、押下げ状態を保持することで上記係合ピンの上記凹部内での挿入状態を解除させる解除ボタンとが設けられている電子錠付き整理箱。
【請求項４】
請求項１乃至３のいずれかに記載の電子錠付き整理箱において、
上記本体には、机や棚等と連結させる紐状接続手段を締結可能とする接続部が設けられている電子錠付き整理箱。
【考案の詳細な説明】
【技術分野】
【０００１】
本考案は、書類、ファイル、電子記録媒体、小型電子機器等の被収容物を収容可能な整理箱、詳しくは被収容物を自由に閲覧できないようにするため蓋に電子錠を設けた電子錠付き整理箱に関する。
【背景技術】
【０００２】
従来より、図４に示すような、机上や棚等に載置させた箱型の整理箱１００が知られている。この整理箱１００には、収容空間１０１に書類やファイル等Ｓを整理して簡易に収容させておくことができる。また、収容口１０２は、常に開放されているので、収容空間１０１内に書類等Ｓを必要に応じて出し入れ自由にできる。
【考案の開示】
【考案が解決しようとする課題】
【０００３】
しかしながら、書類やファイルＳには、誰でも自由に閲覧できる一般書類のほか、一部の限られた者しか閲覧できない個人情報や秘密情報などの重要書類が存在する。このような重要書類は、その情報内容の漏えいを防止する必要性から、上記整理箱１００に収容させることはできない。一方、重要書類は、特別な保管スペースを設けて厳重に管理することでその秘密性を確保できるが、保管スペースも限られるので、机上や棚等の既存スペース内で秘密性を十分確保できればスペースの有効利用上も便利である。
本考案は、上記事情に鑑みてなされたものであり、既存スペースを有効利用して秘密性を十分確保できるように工夫した電子錠付き整理箱を提供することを課題とする。
【課題を解決するための手段】
【０００４】
（１）本考案に係る電子錠付き整理箱は、書類等の被収容物を収容可能な整理箱であって、内部の収容空間に被収容物を出入れ可能とする長方形形状の収容口を有する箱型の本体と、上記収容口に揺動自在に取付けられて収容口を開閉可能とする蓋と、上記蓋を施錠するためのテンキー部付き電子錠とを備え、上記電子錠のテンキー部は、上記蓋の外側面に取付けられ、上記収容口を側方にしてその長辺が上下方向となった本体の縦置き状態と上記収容口を側方にしてその長辺が左右方向となった本体の横置き状態とに対応してテンキーの数字が正しい姿勢に整列されるように９０度範囲で回動自在に構成されていることを特徴とする（請求項１）。
上記電子錠によって蓋を施錠することで、電子錠の解除コードを知る特定の者しか蓋を開けることができないので、本体の収容空間に収容した被収容物の秘密性を確保できる。また、本体は、箱型に構成されているので、机上や棚などの配置場所のスペースに合わせてこの電子錠付き整理箱を縦置きや横置きにすることができ、既存スペースを有効利用できる。しかも、電子錠のテンキー部は、９０度範囲で回動自在に構成されているので、本体の縦置き状態と横置き状態とに対応させてテンキーの数字が正しい姿勢に整列されるように配置させることができる。従って、この電子錠付き整理箱の置き方に合わせてテンキー部の向きも変更でき、電子錠での解除コードの入力が行い易く、使い易さも向上する。
【０００５】
（２）上記テンキー部は、テンキーを付した文字盤と、この文字盤と一体形成されて上記蓋に形成した取付け部に嵌合させる嵌合部とを有し、且つこのテンキー部の嵌合部が蓋の取付け部に対して９０度範囲で回動自在となるように上記取付け部及び上記嵌合部が円形に形成されていてもよい（請求項２）。
これにより、テンキー部の文字盤と一体形成された嵌合部を９０度範囲で簡単に回動させることができ、電子錠のテンキー部の向きを電子錠付き整理箱の置き方に合わせて簡単に変更できる。
【０００６】
（３）上記蓋には、上記収容口に設けた凹部内に挿入されるように付勢されて上記収容口に対する蓋の閉状態を保持させる係合ピンと、押下げ状態を保持することで上記係合ピンの上記凹部内での挿入状態を解除させる解除ボタンとが設けられていてもよい（請求項３）。
上記係合ピンによって蓋の閉状態が保持されるので、上記電子錠の錠が解除されても蓋が簡単に開状態となることを防止できる。しかも、蓋のガタツキも上記係合ピンによって防止できる。また、電子錠の錠が解除された蓋を開けるには、更に解除ボタンを押下げ状態に保持しながら蓋を開ける必要があるので、この点でも蓋が簡単に開状態となることを防止できる。
【０００７】
（４）上記本体には、机や棚等と連結させる紐状接続手段を締結可能とする接続部が設けられていてもよい（請求項４）。
これにより、本体の接続部に机や棚等と連結させた紐状接続手段を締結させることで、この電子錠付き整理箱を机や棚等から簡単に持ち去られることを防止でき、被収容物の秘匿性を一層確保できる。
【考案の効果】
【０００８】
本考案の電子錠付き整理箱によれば、この電子錠付き整理箱を縦置きにしても横置きにしても蓋に設けた電子錠の解除コードの入力操作上使い易い構造となるので、机上や棚等の既存スペースを有効利用して秘密性を十分確保できる効果を発揮するものとなる。
【考案を実施するための最良の形態】
【０００９】
以下に、本考案の実施の形態を図面を参照しながら説明する。
図１、図２に示すように、本実施の形態による電子錠付き整理箱１は、主に机上や棚等に載置させて書類やファイル等を整理して簡易に収容させるために使用されるものであって、内部の収容空間２０に書類等の被収容物Ｓを出入れ可能とする長方形形状の収容口２１を有する箱型の本体２と、上記収容口２１に揺動自在に取付けられて収容口２１を横開き式に開閉可能とする蓋３と、上記蓋３を施錠するためのテンキー部６０付き電子錠６とを備える。
上記被収容物Ｓとしては、例えば、秘密保持する必要のある情報を保持した書類、ファイル、ＣＤ等の電子記録媒体又はノートパソコン等の小型電子機器等が挙げられる。
上記蓋３には、上記電子錠６のテンキー部６０が外側面に取付けられている。この電子錠６のテンキー部６０は、テンキーを付した文字盤６１と、この文字盤６１と一体形成されて上記蓋３に形成した取付け部３２に嵌合させる嵌合部６２とを有する。なお、上記文字盤６１には、この電子錠６の解除コード（暗証番号）の入力のための「０」から「９」までの数字のほか、「＊」や「♯」等の記号も付されているが、これ以外の記号等が付されていてもよい。
【００１０】
また、上記蓋３の上端には、突出状態に付勢され且つ出没自在な施錠部６３が設けられている。この施錠部６３は、収容口２１を臨む側が傾斜面となって蓋３を閉じるときには収容口２１の上端に当接されて没入され、蓋３を完全に閉じると収容口２１の上端部に設けた凹所に嵌り込むようになっており、一方、この施錠部６３の上記傾斜面と反対側（外側を臨む側）の面は、垂直面となって閉じられた蓋３を開けようとしても収容口２１の上記凹所に引っ掛かって突出状態に保持される。これにより、蓋３の施錠が実現される。そして、この施錠部６３を没入させて蓋３の施錠を解除するには、上記テンキー部６０の文字盤６１に所定の解除コード（あるいは暗証番号）を入力することで、一定時間施錠部６３が没入される。従って、この間に、蓋３を開けることが許容される。
【００１１】
また、上記蓋３には、上記電子錠６の作動に必要な電源となる電池を収容させる電池収容部３３が設けられている。
さらに、上記蓋３には、開放端側の側部に円弧状に切欠いた指掛け部３１が形成されている。これにより、この指掛け部３１に指を引っ掛けて蓋３を容易に開くことができる。
また、上記蓋３には、上記収容口２１の隅部に設けた凹部内に挿入されるように付勢されて上記収容口２１に対する蓋３の閉状態を保持させる係合ピン４と、押下げ状態を保持することで上記係合ピン４が蓋３側に没入されて上記凹部内での挿入状態を解除させる解除ボタン５とが設けられている。このように、上記係合ピン４によって蓋３の閉状態が保持されるので、上記電子錠６の錠が解除されても蓋３が簡単に開状態となることを防止でき、しかも、蓋３のガタツキも上記係合ピン４によって防止できる。また、電子錠６の錠が解除された蓋３を開けるには、更に解除ボタン５を押下げ状態に保持しながら蓋３を開ける必要があるので、この点でも蓋３が簡単に開状態となることを防止できる。
【００１２】
そして、図３に示すように、本電子錠付き整理箱１においては、上記電子錠６のテンキー部６０は、上記収容口２１を側方にしてその長辺が上下方向となった本体２の縦置き状態（図３（ａ））と、上記収容口２１を側方にしてその長辺が左右方向となった本体２の横置き状態（図３（ｂ））とに対応してテンキーの数字が正しい姿勢に整列されるように９０度範囲で回動自在に構成されている。すなわち、上記電子錠６におけるテンキー部６０の嵌合部６２が蓋３の取付け部３２に対して９０度範囲で回動自在となるように上記取付け部３２及び上記嵌合部６２が円形に形成されている。これにより、テンキー部６０の文字盤６１と一体形成された嵌合部６２を９０度範囲で簡単に回動させることができ、従って、電子錠６のテンキー部６０の向きを上記のような本電子錠付き整理箱１の置き方に合わせて簡単に変更できるようになっている。
【００１３】
以上のように、本実施の形態による電子錠付き整理箱１によれば、上記電子錠６によって蓋３を施錠することで、電子錠６の解除コード（暗証番号）を知る特定の者しか蓋３を開けることができないので、本体２の収容空間２０に収容した被収容物Ｓの秘密性を確保できる。また、本体２は、箱型に構成されているので、机上や棚などの配置場所のスペースに合わせてこの電子錠付き整理箱１を縦置きや横置きにすることができ、既存スペースを有効利用できる。しかも、電子錠６のテンキー部６０は、９０度範囲で回動自在に構成されているので、本体２の縦置き状態と横置き状態とに対応させてテンキーの数字が正しい姿勢に整列されるように配置させることができる。従って、この電子錠付き整理箱１の置き方に合わせてテンキー部６０の向きも変更でき、電子錠６での解除コードの入力が行い易く、使い易さも向上する。
このように、本電子錠付き整理箱１によれば、この電子錠付き整理箱１を縦置きにしても横置きにしても蓋３に設けた電子錠６の解除コードの入力操作上使い易いユニバーサル構造となり、机上や棚等の既存スペースを有効利用して秘密性を十分確保できる効果を発揮するものとなる。
【００１４】
また、上記本体２の背面部には、机や棚等と連結させるロープやチェーン等の紐状接続手段を締結可能とする接続部が設けられている（図示せず）。このような接続部は、貫通孔でもよいし、また、紐状接続手段と締結可能なロック部等でもよい。これにより、本体２の接続部に机や棚等と連結させた紐状接続手段を締結させることで、この電子錠付き整理箱１を机や棚等から簡単に持ち去られることを防止でき、被収容物Ｓの秘匿性を一層確保できる。
なお、本考案に係る電子錠付き整理箱１は、上記実施の形態のみに限定されず、電子錠６のテンキー部６０は、９０度範囲で回動した所定位置で軽く係合されるストッパーが設けられてもよい。
【００１５】
また、上記電子錠６におけるテンキー部６０の文字盤６１は、外径が円形に形成されているが、四角形、五角形等の種々の形状であってもよい。テンキー部６０の嵌合部６２が円形に形成されていれば、外部に露出した文字盤６１がどのような形状であってもテンキー部６０全体が９０度範囲に回動自在に構成されるからである。
【図面の簡単な説明】
【００１６】
【図１】本実施の形態による電子錠付き整理箱１の全体構成を示す斜視図である。
【図２】本電子錠付き整理箱１の蓋３が開けられた状態を示す斜視図である。
【図３】本電子錠付き整理箱１の縦置き状態（図３（ａ））と横置き状態（図３（ｂ））を示した側面図である。
【図４】従来の書類整理箱１の全体構成を示す斜視図である。
【符号の説明】
【００１７】
１  電子錠付き整理箱１
２  本体
３  蓋
４  係合ピン
５  解除ボタン
６  電子錠
２０  収容空間
２１  収容口
２２  凹部
３１  指掛け部
３２  取付け部
６０  テンキー部
６１  文字盤
６２  嵌合部
６３  施錠部
Ｓ  被収容物
【図１】
0003120322.tif 000003
【図２】
0003120322.tif 000004
【図３】
0003120322.tif 000005
【図４】
0003120322.tif 000006